【手続補正書】
【提出日】平成18年3月31日(2006.3.31)
【手続補正１】
【補正対象書類名】明細書
【補正対象項目名】発明の名称
【補正方法】変更
【補正の内容】
【発明の名称】番組検索装置及び番組検索方法
【手続補正２】
【補正対象書類名】明細書
【補正対象項目名】特許請求の範囲
【補正方法】変更
【補正の内容】
【特許請求の範囲】
【請求項１】  番組情報を蓄積することができるデータベースを備えると共に、該データベースに蓄積されている番組情報を検索する機能を有するデータサーバと、該データサーバに蓄積する番組情報と同一情報を蓄積できると共に、該蓄積した番組情報から所望の番組を選択する機能を有するユーザサーバとからなり、
前記ユーザサーバは、前記データサーバに蓄積されている番組情報をコンテンツキーワードで検索し、該コンテンツキーワードで検索して抽出された番組検索識別コードに基づく番組の中から所望の番組を選択できることを特徴とする番組検索装置。
【請求項２】  前記データサーバとユーザサーバとは通信回線で接続していることを特徴とする請求項１に記載の番組検索装置。
【請求項３】  前記コンテンツキーワードは、番組を構成するコンテンツの要素であること
を特徴とする請求項１に記載の番組検索装置。
【請求項４】  前記番組検索識別コードは、それぞれの番組に付加されているイベント情報テーブルのイベント認識領域に存在すること
を特徴とする請求項１に記載の番組検索装置。
【請求項５】  前記ユーザサーバは、前記データサーバにおいて抽出された番組検索識別コードのみを受信し、該受信した番組検索識別コードに基づいて所望の番組を選択できること
を特徴とする請求項１に記載の番組検索装置。
【請求項６】  前記番組情報はＥＰＧ情報であること
を特徴とする請求項１に記載の番組検索装置。
【請求項７】  番組情報を蓄積することができるデータベースを備えると共に、該データベースに蓄積されている番組情報を検索する機能を有するデータサーバと、該データサーバに蓄積する番組情報と同一情報を蓄積できると共に、該蓄積した番組情報から所望の番組を選択する機能を有するユーザサーバとからなり、
前記ユーザサーバは、前記データサーバに蓄積されている番組情報をコンテンツキーワードで検索し、該コンテンツキーワードで検索して抽出された番組検索識別コードに基づく番組の中から所望の番組を選択するようにしたことを特徴とする番組検索方法。
【請求項８】  前記データサーバとユーザサーバとは通信回線で接続していることを特徴とする請求項７に記載の番組検索方法。
【請求項９】  前記コンテンツキーワードは、番組を構成するコンテンツの要素であること
を特徴とする請求項７に記載の番組検索方法。
【請求項１０】  前記番組検索識別コードは、それぞれの番組に付加されているイベント情報テーブルのイベント認識領域に存在すること
を特徴とする請求項７に記載の番組検索方法。
【請求項１１】  前記ユーザサーバは、前記データサーバにおいて抽出された番組検索識別コードのみを受信し、該受信した番組検索識別コードに基づいて所望の番組を選択できること
を特徴とする請求項７に記載の番組検索方法。
【請求項１２】  前記番組情報はＥＰＧ情報であること
を特徴とする請求項７に記載の番組検索方法。
【手続補正３】
【補正対象書類名】明細書
【補正対象項目名】０００１
【補正方法】変更
【補正の内容】
【０００１】
【発明の属する技術分野】
本発明は、番組検索装置及び番組検索方法に関し、特に膨大な番組情報の検索は専用のサーバに任せて選択する番組のデータ量を減らした番組検索装置及び番組検索方法に関する。
【手続補正４】
【補正対象書類名】明細書
【補正対象項目名】０００３
【補正方法】変更
【補正の内容】
【０００３】
【発明が解決しようとする課題】
しかしながら、ネット上のデータサーバから番組情報をダウンロードするタイミングは、データサーバと番組情報受信装置を繋ぐ通信手段である電話回線が低速度であることを意識させないよう深夜に行われることが多い。そのため、特に深夜時間帯における通信回線のトラフィック集中やデータサーバの負荷増大に伴うレスポンス低下等の問題がある。従って、番組情報を蓄積しているデータサーバから複数の番組情報受信装置に番組情報を円滑にダウンロードさせることに解決しなければならない課題を有する。
【手続補正５】
【補正対象書類名】明細書
【補正対象項目名】００１０
【補正方法】変更
【補正の内容】
【００１０】
【課題を解決するための手段】
以上の課題を解決するために本発明に係る番組検索装置は、番組情報を蓄積することができるデータベースを備えると共に、該データベースに蓄積されている番組情報を検索する機能を有するデータサーバと、該データサーバに蓄積する番組情報と同一情報を蓄積できると共に、該蓄積した番組情報から所望の番組を選択する機能を有するユーザサーバとからなり、前記ユーザサーバは、前記データサーバに蓄積されている番組情報をコンテンツキーワードで検索し、該コンテンツキーワードで検索して抽出された番組検索識別コードに基づく番組の中から所望の番組を選択できることである。
【手続補正６】
【補正対象書類名】明細書
【補正対象項目名】００１１
【補正方法】変更
【補正の内容】
【００１１】
又、前記データサーバとユーザサーバとは通信回線で接続していること；前記コンテンツキーワードは、番組を構成するコンテンツの要素であること；前記番組検索識別コードは、それぞれの番組に付加されているイベント情報テーブルのイベント認識領域に存在すること；前記ユーザサーバは、前記データサーバにおいて抽出された番組検索識別コードのみを受信し、該受信した番組検索識別コードに基づいて所望の番組を選択できること；前記番組情報はＥＰＧ情報であることである。
更に、番組検索方法は、番組情報を蓄積することができるデータベースを備えると共に、該データベースに蓄積されている番組情報を検索する機能を有するデータサーバと、該データサーバに蓄積する番組情報と同一情報を蓄積できると共に、該蓄積した番組情報から所望の番組を選択する機能を有するユーザサーバとからなり、前記ユーザサーバは、前記データサーバに蓄積されている番組情報をコンテンツキーワードで検索し、該コンテンツキーワードで検索して抽出された番組検索識別コードに基づく番組の中から所望の番組を選択するようにしたことである。
【手続補正７】
【補正対象書類名】明細書
【補正対象項目名】００１２
【補正方法】変更
【補正の内容】
【００１２】
このように、本発明に係る番組検索装置によれば、番組情報に対する番組検索のコンテンツキーワードをデータサーバ側に与えて、そのデータサーバに存在する所定のデータベースから番組検索した結果を、番組検索識別コードのみをユーザサーバに伝送し、ユーザサーバは、この番組検索識別コードに基づいて番組を選択するようにしたので、データサーバから番組に対する詳細なデータをユーザサーバ側に伝送せずに済み、このため通信データ量を過大に増加させることなく、番組検索をすることができる。
【手続補正８】
【補正対象書類名】明細書
【補正対象項目名】００１３
【補正方法】変更
【補正の内容】
【００１３】
【発明の実施の形態】
以下、本発明に係る番組検索方法を具現化できる番組検索装置の実施の形態について図を用いて説明する。図１は本発明の実施の１形態を略示的に示した構成図である。
【手続補正９】
【補正対象書類名】明細書
【補正対象項目名】００３５
【補正方法】変更
【補正の内容】
【００３５】
【発明の効果】
以上、説明したように、本発明に係る番組検索方法が具現化できるための番組検索装置によれば、番組情報に対する番組検索のコンテンツキーワードを与えてデータサーバ側に存在する所定のデータベースから番組検索した結果を、番組情報のうち番組検索識別コードのみをユーザサーバ側に伝送し、ユーザサーバ側で受信した番組検索識別コードに基づいて番組を選択するようにしたので、通信データ量を過大に増やすことなく、番組検索を可能とし、少ないデータ量により所望の番組情報を得ることができる。